(57)【特許請求の範囲】
【請求項１】
胴部上端から口頸部を起立する容器本体(１)を外層(５)と、該外層内面に剥離可能に積層した内層(６)とで形成すると共に、該内外層間に空気を導入可能な空気導入部(８)を外層(５)に設けた吹込成形による積層剥離容器において、
成形金型に溝を設けておき、空気吹込み時に、該溝内へ内外層からなるパリソンの一部を押し込ませることで容器本体の口頸部を除いた容器本体下部に、内層の屈曲部が外層の屈曲部に挟持された、外層からの内層の剥離を規制する剥離規制部(９)を外方へ膨出させて周方向全周に設け、かつ内外層の屈曲部成形後に、該屈曲部に上下方向の力を加えて圧潰させることで側方視Ｖ字状に形成したことを特徴とする積層剥離容器。
【発明の詳細な説明】
【技術分野】
【０００１】
本発明は、外層に内層が剥離可能に積層された積層剥離容器に関する。
【背景技術】
【０００２】
外層内面に内層を剥離可能に積層すると共に、空気を内外層間に導入するための空気導入孔を外層に設けて、空気を内層内に導入することなく、内外層間に導入させることで、空気が内層内の内容物に直接触れないようにしたいわゆるデラミ容器が知られている(特許文献１)。
【特許文献１】特開２００２−１９３２８４号公報
【発明の開示】
【発明が解決しようとする課題】
【０００３】
吹込成形によって成形される容器の底部には、成形時に、内外層が重合接着されるピンチオフが形成されるが、このピンチオフは、内層が外層底部から剥離する際に、重合接着部が剥がれて割れる等するおそれがあった。
【０００４】
本発明の目的は、内層が外層底部から剥離してもピンチオフが破損するおそれのない積層剥離容器を提供することにある。
【課題を解決するための手段】
【０００５】
本発明は、胴部上端から口頸部を起立する容器本体１を外層５と、該外層内面に剥離可能に積層した内層６とで形成すると共に、該内外層間に空気を導入可能な空気導入部８を外層５に設けた吹込成形による積層剥離容器において、
成形金型に溝を設けておき、空気吹込み時に、該溝内へ内外層からなるパリソンの一部を押し込ませることで容器本体の口頸部を除いた容器本体下部に、内層の屈曲部が外層の屈曲部に挟持された、外層からの内層の剥離を規制する剥離規制部９を外方へ膨出させて周方向全周に設け、かつ内外層の屈曲部成形後に、該屈曲部に上下方向の力を加えて圧潰させることで側方視Ｖ字状に形成したことを特徴とする。
【発明の効果】
【０００９】
本発明は、容器本体の下部に、剥離規制部を設けたので、内層内の内容物が減少することにより、内層が収縮して外層から剥離しても、その剥離は剥離規制部で規制されるため、剥離が外層底部にまで及ぶことがなく、したがって、ピンチオフの破損が防止される。
【発明を実施するための最良の形態】
【００１０】
以下、本発明を図面に示す実施の形態を参照しながら説明する。
【００１１】
図１および図２において、１は容器本体で、胴部２上端から肩部を介して口頸部３を起立している。この口頸部には、例えば、液体噴出ポンプ等の種々の吸上げ機構が装着可能である。液体噴出ポンプを装着する場合には、後述するようにシリンダを胴部２内に挿入する。
【００１２】
容器本体１は、外層５と、外層５に剥離可能に積層された内層６とから形成されていて、内外層の底部には、吹込成形による成形時に発生するピンチオフ７が形成されている。さらに、胴部２の肩部または口頸部３の外層５部分には空気導入孔８が形成されている。
【００１３】
容器本体１の底部に近い下端部には外方へ張り出す屈曲部９が周方向全周に形成されている。屈曲部９は内外層６、５を共に外方へ屈曲させて形成したもので、内層６の屈曲された部分は外層５の屈曲された部分に挟持されている。なお、屈曲部９の位置としては容器本体底部に近い下端部に限らず、容器本体１の下部であれば特にその位置に限定はない。
【００１４】
次に、屈曲部９の成形方法について簡単に説明する。屈曲部９を形成するには、成形金型に溝を形成して、空気吹込み時に、該溝内へ内外層からなるパリソンの一部が押し込まれるようにする。成形後、成形金型から積層品を取り出し、図３に示すように、屈曲された部分を治具Ａにクランプしてプレス加工により圧潰する。
【００１５】
あるいは成形金型を上下に二分割して下型を上動可能に設けておき、空気吹き込み時に、パリソンの一部を溝内へ押し込むと同時に下型を上動させて溝内のパリソンを圧潰させることによっても成形可能である。
【００１６】
次に作用について説明する。
【００１７】
本発明は、上記のように、液体噴出ポンプ等の種々の吸上げ機構を備えた注出容器に適用できるが、ここでは液体噴出ポンプが装着された注出容器への適用例について説明する。
【００１８】
この適用例を示すのが図４で、まず、構成について簡単に説明すると、口頸部２に嵌合された装着筒を介して内層６内へシリンダ１０が垂下されていて、該シリンダ１０内面には摺動自在に筒状ピストン１１が嵌合されている。該筒状ピントン１１から起立する作動部材１２の上端にはノズル付き押下げヘッド１３が装着されている。
【００１９】
液体を噴出させるには、押下げヘッド１３を押し下げればよく、すると筒状ピストン１１が下降し、シリンダ１０内の液体が作動部材１２を介してノズルから噴出する。噴出後、押下げヘッド１３から手を離すと、図示しないばねの付勢力を受けて作動部材１２が上昇する。
【００２０】
するとシリンダ１１に設けられた図示しない吸上げ弁を介してシリンダ１１内へ内層６内の液体が吸上げられる。こうして内層６内の液体が減少すると、内層６内が負圧化して内層６が収縮し、外層５から剥離する。内層６が外層５から剥離すると、この内外層間に空気導入孔８を介して空気が導入される。
【００２１】
この外層５からの内層６の剥離は内層６の上部から始まって下部へと進行する。ある程度剥離が下方へ進行して、屈曲部９に達すると、屈曲部９では内層６の屈曲された部分が外層５の屈曲された部分に挟持されているため、図５および図６に示すように、内層６は外層５から剥離することができず、屈曲部９より下方の内層６部分は剥離不能となる。
【００２２】
このため容器本体１の底部では剥離が生じることがなく、したがって、ピンチオフ７の接合部に割れが生じて破損することがない。仮に、内層６の剥離が容器本体１の底部にまで及ぶとすると、図７に示すようにピンチオフ７の接合部が、図面において左右に割れることになる。
【００２３】
なお、上記では、屈曲部９を圧潰させた例について説明したが、必ずしも圧潰させる必要はない。
【図面の簡単な説明】
【００２４】
【図１】本発明に係る積層剥離容器の右半部を示す正面図である。
【図２】積層剥離容器の下部を示す縦断面図である。
【図３】剥離規制部の形成時の状態を示す説明図である。
【図４】本発明を液体噴出ポンプの付きの注出容器に適用した例を示す一部断面図である。
【図５】内層の剥離状態を示す図２相当図である。
【図６】内層の剥離状態を示す作用説明図である。
【図７】内層がすべて剥離した場合のピンチオフ破損状態を示す説明図である。
【符号の説明】
【００２５】
１  容器本体
５  外層
６  内層
８  空気導入部
９  剥離規制部(屈曲部)
【図１】
0005019369.tif 000002
【図２】
0005019369.tif 000003
【図３】
0005019369.tif 000004
【図４】
0005019369.tif 000005
【図５】
0005019369.tif 000006
【図６】
0005019369.tif 000007
【図７】
0005019369.tif 000008